(57)【要約】【課題】吸収体に吸収された水分が吸収体の側方から側壁部の外部へと漏出することを防止する。【解決手段】吸収性物品１の本体部２は、吸収コア２２、吸収コア２２の着用者側の主面を覆うトップシート２１、並びに、吸収コア２２の両側部および着用者側とは反対側である外側の主面を覆い、吸収コア２２の内部からの水分の漏出を防止するコア防漏シート２３を備える。コア防漏シート２３は、長手方向のほぼ全長に亘って吸収コア２２の両側部を覆う撥水性または不透液性の内部防漏部２３１を備え、トップシート２１が吸収コア２２の外側へと折り返されて内部防漏部２３１を覆い、側壁部３のギャザーシート３２がトップシート折返部２１１を覆いつつコア防漏シート２３のバックシート部２３２に接合される。その結果、吸収コア２２に一旦吸収された水分が吸収コア２２の側部から吸収コア２２の外部に漏出することを防止することができる。【選択図】図３
2006218055.tif 000002
【特許請求の範囲】
【請求項１】
着用者からの排泄物を受ける吸収性物品であって、
着用時に着用者の腹部、股間部および背部に沿って位置する部位を所定の長手方向に沿って有する吸収体と、
前記吸収体の少なくとも前記腹部、股間部または背部に対応する所定の部位において、前記吸収体の両側部を覆う撥水性または不透液性の内部防漏部と、
前記吸収体の着用者側の主面を覆うとともに前記吸収体の前記所定の部位の両側部において前記吸収体の着用者側とは反対側である外側へと折り返されて前記内部防漏部を覆う透液性のトップシートと、
前記吸収体の前記外側の主面を覆うバックシートと、
前記長手方向のほぼ全長に亘って前記トップシートの両側に設けられるとともに着用者側へと立ち上がる一対の側壁部と、
を備え、
前記一対の側壁部が、前記吸収体の前記外側において前記トップシートの折り返された部位を覆うことを特徴とする吸収性物品。
【請求項２】
請求項１に記載の吸収性物品であって、
前記内部防漏部が、前記バックシートと連続していることを特徴とする吸収性物品。
【請求項３】
請求項１または２に記載の吸収性物品であって、
前記所定の部位が前記吸収体の全体であり、前記吸収体の前記長手方向に垂直な方向の幅が前記吸収体の全長に亘ってほぼ一定であることを特徴とする吸収性物品。
【請求項４】
請求項１または２に記載の吸収性物品であって、
前記吸収体の前記所定の部位が着用者の腹部または背部に対応し、前記吸収体の前記所定の部位の前記長手方向に垂直な方向の幅が、股間部に対応する部位の幅よりも大きいことを特徴とする吸収性物品。
【請求項５】
請求項４に記載の吸収性物品であって、
前記吸収体の前記所定の部位が、着用者の腹部および背部に対応することを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等に利用される吸収性物品として、透液性のトップシートと不透液性のバックシートとの間に粉砕パルプ等により形成された吸収体を設けた本体部、および、本体部の両側に取り付けられて尿等の漏出を防止する立体ギャザーを備えるものが使用されている。このような吸収性物品では、立体ギャザーが着用者の足の付け根近傍の肌に柔軟に接して排泄物の漏出を防止するとともに、吸収性物品の着用者側とは反対側を覆うバックシートにより、トップシートを透過した尿等の排泄物や一旦吸収体に吸収された排泄物の水分が吸収性物品の外部へとしみ出すことが防止される。
【０００３】
このような立体ギャザーを備える吸収性物品に関して、特許文献１では、使い捨て紙おむつの透液性表面シートおよび立体ギャザー形成用のギャザー不織布を、吸収体の側縁部を巻き込んで吸収体裏面側にて固定することにより、脚周りにサイドフラップを形成することなく見栄えを良好なものとする技術が開示されている。また、特許文献１の使い捨て紙おむつでは、透液性表面シートを吸収体裏面側まで延在させることにより、吸収体の幅を狭くした場合であっても吸収表面積が確保される。
【特許文献１】特開２００１−３４０３８０号公報
【発明の開示】
【発明が解決しようとする課題】
【０００４】
ところで、使い捨ておむつでは、座位や仰臥位等のように着用者の体圧がかかっている状態で排泄がなされた場合や排泄後に使い捨ておむつに体圧がかかった場合、吸収体の略中央部に吸収された尿等の水分が、吸収体の長手方向の両側に拡散して吸収体の前後部にて保持される。しかしながら、排泄物が比較的多い場合、一旦吸収体に吸収された水分が吸収体の幅方向の両側から吸収体の外部へとしみ出すことがある。
【０００５】
特許文献１の使い捨て紙おむつでは、脚周りにおいて裏面シートの幅方向のエッジを吸収体のエッジにほぼ一致させ、吸収体の側縁部を透液性表面シートにより覆っているため、着用者の体圧により吸収体の幅方向の両側から水分が押し出され、透液性表面シートを透過してしまう。さらに、ギャザー不織布が吸収体の側縁部に接着されているため、透液性表面シートを透過した吸収体からの水分が、ギャザー不織布の耐水圧を超える高い圧にてギャザー不織布へと押しつけられ、ギャザー不織布を透過して使い捨て紙おむつの外部へと漏出してしまう恐れがある。
【０００６】
本発明は、上記課題に鑑みなされたものであり、吸収体に吸収された水分が吸収体の側方から側壁部の外部へと漏出することを防止することを目的としている。
【課題を解決するための手段】
【０００７】
請求項１に記載の発明は、着用者からの排泄物を受ける吸収性物品であって、着用時に着用者の腹部、股間部および背部に沿って位置する部位を所定の長手方向に沿って有する吸収体と、前記吸収体の少なくとも前記腹部、股間部または背部に対応する所定の部位において、前記吸収体の両側部を覆う撥水性または不透液性の内部防漏部と、前記吸収体の着用者側の主面を覆うとともに前記吸収体の前記所定の部位の両側部において前記吸収体の着用者側とは反対側である外側へと折り返されて前記内部防漏部を覆う透液性のトップシートと、前記吸収体の前記外側の主面を覆うバックシートと、前記長手方向のほぼ全長に亘って前記トップシートの両側に設けられるとともに着用者側へと立ち上がる一対の側壁部とを備え、前記一対の側壁部が、前記吸収体の前記外側において前記トップシートの折り返された部位を覆う。
【０００８】
請求項２に記載の発明は、請求項１に記載の吸収性物品であって、前記内部防漏部が、前記バックシートと連続している。
【０００９】
請求項３に記載の発明は、請求項１または２に記載の吸収性物品であって、前記所定の部位が前記吸収体の全体であり、前記吸収体の前記長手方向に垂直な方向の幅が前記吸収体の全長に亘ってほぼ一定である。
【００１０】
請求項４に記載の発明は、請求項１または２に記載の吸収性物品であって、前記吸収体の前記所定の部位が着用者の腹部または背部に対応し、前記吸収体の前記所定の部位の前記長手方向に垂直な方向の幅が、股間部に対応する部位の幅よりも大きい。
【００１１】
請求項５に記載の発明は、請求項４に記載の吸収性物品であって、前記吸収体の前記所定の部位が、着用者の腹部および背部に対応する。
【発明の効果】
【００１２】
本発明では、吸収体に吸収された水分が吸収体の側方から外部へと漏出することを防止することができる。請求項２の発明では、本体部を容易に形成することができる。請求項４の発明では、着用者の身体に吸収性物品をフィットさせつつ、吸収体に吸収された水分が、体圧が加わりやすい腹部または背部に対応する部位において吸収体の側方から外部へと漏出することを効率良く防止することができる。
【発明を実施するための最良の形態】
【００１３】
図１は、本発明の第１の実施の形態に係る吸収性物品１を備えるパンツタイプの使い捨ておむつ１０の外観を示す図である。吸収性物品１は、着用者の腹側から背側にかけて設けられて着用者からの排泄物を受けるいわゆるパッド部であり、外装部材１０１とは独立した部材として外装部材１０１の下部に中心を合わせて取り付けられる。
【００１４】
図２は、使い捨ておむつ１０を展開して伸ばした状態で着用者に対向する側から見た平面図であり、図３および図４は、使い捨ておむつ１０を図２中に示すＡ−ＡおよびＢ−Ｂの位置でＹ方向に垂直な面で切断した断面図である。図２ないし図４に示すように、使い捨ておむつ１０は、２層のシート状部材である外装部材１０１、および、外装部材１０１の着用者側（すなわち、図２中の（＋Ｚ）側）に設けられる吸収性物品１を備え、吸収性物品１は、略シート状の本体部２、および、本体部２の長手方向（すなわち、Ｙ方向）のほぼ全長に亘って本体部２の長手方向とは垂直な幅方向（すなわち、Ｘ方向）の両側に設けられた一対の側壁部３を備える。図２ないし図４では、本体部２の側壁部３が設けられる側の主面、すなわち、（＋Ｚ）側の主面が着用者に接する面となる。
【００１５】
図２ないし図４に示すように、本体部２は、吸収体である吸収コア２２、吸収コア２２の着用者側の主面を覆うトップシート２１、並びに、吸収コア２２の両側部および着用者側とは反対側である外側の主面を覆い、吸収コア２２の内部からの水分の漏出を防止するコア防漏シート２３を備える。なお、コア防漏シート２３のうち吸収コア２２の外側に対向する部位は、いわゆるバックシートとしての役割を担い、換言すれば、コア防漏シート２３は、バックシートの両側を吸収コア２２の両側部を包むように拡張したものであるといえる。
【００１６】
トップシート２１およびコア防漏シート２３は、ホットメルト接着剤等により吸収コア２２の周囲にて互いに接合され、トップシート２１の両側には側壁部３が接合される。なお、図３および図４では、トップシート２１等の接合に用いられるホットメルト接着剤４に平行斜線を付して示しており、その厚さを実際よりも大きく描いている（後述の図６および図７についても同様）。また、吸収性物品１と外装部材１０１との接合に用いられるホットメルト接着剤については図示を省略している。
【００１７】
図２に示すように、吸収コア２２は、着用時に着用者の腹部、股間部および背部沿って位置する部位を長手方向に沿って有する。吸収コア２２は、図２にその輪郭を太い破線にて示すように、幅方向の幅が長手方向のほぼ全長に亘ってほぼ一定であり（すなわち、Ｚ方向を向いて見た場合、吸収コア２２は略矩形であり）、一対の側壁部３のそれぞれは、吸収コア２２の幅方向の両側部において本体部２に接合されている。
【００１８】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００１９】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２０】
コア防漏シート２３は撥水性または不透液性の不織布であり、トップシート２１を透過した水分、および、吸収コア２２に一旦吸収された水分が、吸収コア２２の内部から外部へとしみ出すことを防止する。コア防漏シート２３として利用される不織布は、例えば、スパンボンド不織布やメルトブロー不織布、ＳＭＳ（スパンボンド・メルトブロー・スパンボンド）不織布であり、必要に応じて撥水処理が施されてもよい。なお、撥水性または不透液性のプラスチックフィルムや、上記不織布とプラスチックフィルムとの複合材料等がコア防漏シート２３として利用されてもよい。この場合、着用者の快適性の観点からは、通気性を有するプラスチックフィルムが利用されることが好ましい。
【００２１】
図２に示すように、一対の側壁部３のそれぞれは長手方向に長い帯状の部材であり、図２ないし図４に示すように、長手方向に伸びる２本の弾性部材３１、および、２本の弾性部材３１を間に挟む２層のシート状部材であるギャザーシート３２を備える。各側壁部３では、ホットメルト接着剤等により弾性部材３１がギャザーシート３２に接合されており、図２に示すように吸収性物品１を広げた状態では、弾性部材３１は伸張状態となっている。
【００２２】
吸収性物品１では、各側壁部３の長手方向の両端部が、図４に示すように、本体部２の着用者側の面にホットメルト接着剤４により接合されており、長手方向の両端部の間の部位は、図３に示すように、本体部２の着用者側の面とは非接合状態とされる。吸収性物品１では、弾性部材３１が収縮することにより、本体部２の側方において側壁部３の長手方向の両端部の間の部位が着用者側に向かって立ち上がり、着用時に着用者の足の付け根近傍に当接する立体ギャザーが形成される。
【００２３】
側壁部３のギャザーシート３２は、撥水性または不透液性の不織布（例えば、スパンボンド不織布やメルトブロー不織布、ＳＭＳ不織布）やプラスチックフィルム、あるいは、これらの複合材料により形成される。吸収性物品１の快適性向上の観点からは、ギャザーシート３２が通気性を有することが好ましい。弾性部材３１としては、ポリウレタン糸、ポリウレタンフィルム、天然ゴム等が用いられる。
【００２４】
図３および図４に示すように、コア防漏シート２３は、吸収コア２２の長手方向全体において吸収コア２２の両側部を覆って吸収コア２２の内部から側方への水分の漏出を防止する内部防漏部２３１と、吸収コア２２の外側（すなわち、着用者側とは反対側）の主面を覆って吸収コア２２の内部から外側への水分の漏出を防止するバックシート部２３２とに、その機能に注目して分けることができる。すなわち、コア防漏シート２３は、内部防漏部２３１とバックシート部２３２とを備え、バックシート部２３２は、その両側部において内部防漏部２３１と連続している。もちろん、既述のように、コア防漏シート２３はバックシート部２３２（バックシート）の両側を、吸収コア２２の両側部を包むように拡張したものと捉えることもできる。
【００２５】
吸収性物品１では、吸収コア２２のほぼ全長における両側部において、コア防漏シート２３の幅方向の両側の部位である内部防漏部２３１が着用者側（かつ、ＹＺ面に平行な本体部２を左右に二分する中心面２Ｓ側）へと折り返され、着用者側に巻き上げられて吸収コア２２の両側部を覆い、ホットメルト接着剤４により吸収コア２２の着用者側の主面に接合される。また、トップシート２１の幅方向の両側の部位が、吸収コア２２の両側部において外側（かつ、中心面２Ｓ側）へと折り返され、内部防漏部２３１を覆うように吸収コア２２の外側に巻き込まれてホットメルト接着剤４によりコア防漏シート２３のバックシート部２３２に接合される。
【００２６】
さらに、一対の側壁部３のギャザーシート３２が、本体部２の両側部において外側（かつ、中心面２Ｓ側）へと折り返され、吸収コア２２の外側においてトップシート２１の着用者側とは反対側の部位（以下、「トップシート折返部」という。）２１１の全体を覆いつつ本体部２の外側に巻き込まれる。ギャザーシート３２の折り返された部位は、トップシート折返部２１１の本体部２の中心面２Ｓ側のエッジよりもさらに中心面２Ｓ側にて、ホットメルト接着剤４によりコア防漏シート２３のバックシート部２３２に接合される。また、ギャザーシート３２は、本体部２の両側部においてトップシート２１に接合される。
【００２７】
以上に説明したように、吸収性物品１では、本体部２の長手方向のほぼ全長に亘って、撥水性または不透液性のコア防漏シート２３の内部防漏部２３１が吸収コア２２の両側部において吸収コア２２の両側部を覆うことにより、座位や仰臥位等のように着用者の体圧がかかっている状態で排泄がなされたり、排泄後に使い捨ておむつに体圧がかかったときに、排泄物が比較的多い場合であっても、吸収コア２２に一旦吸収された水分が吸収コア２２の側部から吸収コア２２の外部へと漏出することを防止することができる。
【００２８】
仮に、コア防漏シートにより吸収コアの両側部が覆われていなかったとすると、吸収コアに吸収された水分が体圧等により吸収コアの外部へと漏出する。吸収コアから漏出した水分は、側壁部が本体部の両側部に接合して設けられているため、側壁部の本体部に接合されている部位に対して高い圧にて押しつけられ、圧が側壁部のギャザーシートの耐水圧を超えた場合には、吸収性物品の外部へと水分が漏出してしまう。しかしながら、吸収性物品１では、上述のようにコア防漏シート２３により吸収コア２２の両側部が覆われて水分が漏出することが防止されるため、一旦吸収コア２２に吸収された水分が、側壁部３を透過して吸収性物品１の外部へと漏出することが防止される。
【００２９】
また、トップシート２１が外側に折り返されて内部防漏部２３１を覆うことにより、撥水性または不透液性の内部防漏部２３１が露出して着用者の股間部の肌に直接触れることが防止され、ムレやベタつき等による着用感の低下を防止して快適な着用感を維持することができる。さらには、尿等の水分の一部がトップシート２１を伝わって拡散し、着用者側とは反対側の部位（すなわち、トップシート折返部２１１）まで移動した場合であっても、ギャザーシート３２が外側に折り返されてトップシート折返部２１１を覆うことにより、コア防漏シート２３とギャザーシート３２との間に水分を留めて吸収性物品１の外部に水分が漏出してしまうことが防止される。
【００３０】
吸収性物品１では、内部防漏部２３１がバックシート部２３２と連続しているため、すなわち、コア防漏シート２３の一部として内部防漏部２３１が設けられるため、コア防漏シート２３を吸収コア２２の両側部において折り返すことにより容易に内部防漏部２３１を設けることができ、本体部２を容易に形成することができる。さらに、吸収性物品１では、吸収コア２２の幅が長手方向のほぼ全長に亘ってほぼ一定とされるため、長手方向の部位毎に幅が異なる吸収コアを有する吸収性物品に比べて、本体部２をさらに容易に形成することができ、吸収性物品１が利用される使い捨ておむつ１０の製造を簡素化することができる。
【００３１】
図５は、本発明の第２の実施の形態に係る吸収性物品１ａを備えるパンツタイプの使い捨ておむつ１０を展開して示す平面図であり、図６および図７は、使い捨ておむつ１０を図５中に示すＣ−ＣおよびＤ−Ｄの位置でＹ方向に垂直な面で切断した断面図である。図５ないし図７に示すように、使い捨ておむつ１０は、第１の実施の形態と同様に、外装部材１０１の着用者側に吸収性物品１ａを取り付けたものとなっており、吸収性物品１ａは、本体部２および、本体部２の長手方向のほぼ全長に亘って幅方向の両側に設けられた一対の側壁部３を備える。
【００３２】
本体部２は、第１の実施の形態とは形状が異なる吸収コア２２ａ、並びに、吸収コア２２ａの着用者側の主面を覆う透液性のトップシート２１、吸収コア２２ａの両側部および外側の主面を覆う撥水性または不透液性のコア防漏シート２３を備える。各側壁部３は、長手方向に伸びる２本の弾性部材３１、および、２本の弾性部材３１を間に挟む２層のシート状部材であるギャザーシート３２を備える。トップシート２１、吸収コア２２ａおよびコア防漏シート２３、並びに、弾性部材３１およびギャザーシート３２の材料は、第１の実施の形態と同様である。
【００３３】
図５に示すように、吸収コア２２ａでは、着用時に着用者の腹部、股間部および背部に沿って位置する前方部２０１、中間部２０２および後方部２０３が長手方向に沿って並んでおり、図５にその輪郭を太い破線にて示すように、腹部および背部に対応する前方部２０１および後方部２０３における吸収コア２２ａの幅は、股間部に対応する中間部２０２における吸収コア２２ａの幅よりも大きくされる。すなわち、吸収コア２２ａはいわゆる砂時計型とされる。
【００３４】
図７に示すように、吸収性物品１ａでは、後方部２０３においてコア防漏シート２３の幅方向の両側の部位である内部防漏部２３１が、吸収コア２２ａの両側部を覆いつつ着用者側（かつ、中心面２Ｓ側）へと折り返されて吸収コア２２ａの着用者側の主面に接合される（前方部２０１についても同様）。後方部２０３および前方部２０１では、また、トップシート２１の幅方向の両側の部位が、吸収コア２２ａの両側部において外側（すなわち、着用者側とは反対側、かつ、中心面２Ｓ側）へと折り返され、内部防漏部２３１を覆うように吸収コア２２ａの外側に巻き込まれてホットメルト接着剤４によりコア防漏シート２３のバックシート部２３２に接合される。
【００３５】
さらに、吸収コア２２ａの後方部２０３および前方部２０１の側方において、各側壁部３のギャザーシート３２が外側（かつ、中心面２Ｓ側）へと折り返され、吸収コア２２ａの外側においてトップシート折返部２１１を覆いつつトップシート折返部２１１の中心面２Ｓ側のエッジよりもさらに中心面２Ｓ側にてコア防漏シート２３のバックシート部２３２に接合される。また、ギャザーシート３２は、本体部２の両側部においてトップシート２１に接合される。以上のように、吸収性物品１ａでは、吸収コア２２ａの後方部２０３および前方部２０１において、一対の側壁部３のそれぞれがトップシート２１およびコア防漏シート２３の内部防漏部２３１を介して吸収コア２２ａの両側部に間接的に接合されている。
【００３６】
吸収性物品１ａの中間部２０２では、図６に示すように、吸収コア２２ａの両側部から側方に離間した位置においてコア防漏シート２３が着用者側に折り返されてその一部が２層になっており、コア防漏シート２３の両側部においてトップシート２１がコア防漏シート２３の折り目を巻き込むように着用者側とは反対側に折り返されてホットメルト接着剤４によりコア防漏シート２３に接合される。また、ギャザーシート３２が、本体部２の外側にてトップシート折返部２１１を覆いつつトップシート折返部２１１の中心面２Ｓ側のエッジよりもさらに中心面２Ｓ側にてコア防漏シート２３にホットメルト接着剤４により接合される。
【００３７】
以上に説明したように、吸収性物品１ａでは、吸収コア２２ａの前方部２０１および後方部２０３における幅が中間部２０２よりも大きくされることにより、側壁部３が着用者側に向かってさらに立ち上がりやすくなって足の付け根近傍により確実に密着するとともに着用者の身体に吸収性物品１ａがフィットしやすくなっている。一方、吸収性物品１ａでは、中間部２０２で受けた排泄物の水分を、中間部２０２よりも幅が広い前方部２０１および後方部２０３に移動して容易に吸収することができる。
【００３８】
このような特徴を有する吸収性物品１ａにおいて、前方部２０１および後方部２０３に吸収コア２２ａの両側部を覆う撥水性または不透液性の内部防漏部２３１が設けられることにより、排泄物が比較的多い場合であっても、吸収コア２２ａに一旦吸収された水分が、体圧が加わりやすい前方部２０１および後方部２０３において吸収コア２２ａの側部から外部へと漏出することを効率良く防止することができる。吸収性物品１ａでは、側壁部３が本体部２に接合されているが、このように内部防漏部２３１により吸収コア２２ａからの水分の漏出が防止されるため、側壁部３の本体部２に接合されている部位に水分が押しつけられることが防止され、側壁部３を透過して吸収性物品１ａの外部へと水分が漏出することが防止される。なお中間部２０２では、吸収コア２２ａの側部と側壁部３とが離間しているため、吸収コア２２ａの側部から多少水分が漏れ出しても側壁部３を透過してしまうことはほとんどない。
【００３９】
吸収性物品１ａでは、前方部２０１および後方部２０３において、第１の実施の形態と同様に、トップシート２１が外側に折り返されて内部防漏部２３１を覆うことにより、内部防漏部２３１が着用者の肌に触れることによる着用感の低下を防止して快適な着用感を維持することができる。また、長手方向のほぼ全長において、ギャザーシート３２がトップシート折返部２１１を覆うことにより、水分がトップシート折返部２１１まで伝わった場合であっても、吸収性物品１ａの外部に水分が漏出することを防止することができる。
【００４０】
前方部２０１および後方部２０３では、第１の実施の形態と同様に、内部防漏部２３１がバックシート部２３２と連続しているため、本体部２を容易に形成することができ、使い捨ておむつ１０の製造を簡素化することができる。
【００４１】
以上、本発明の実施の形態について説明してきたが、本発明は上記実施の形態に限定さ
れるものではなく、様々な変更が可能である。
【００４２】
吸収性物品では、側壁部３のギャザーシート３２は必ずしも２層とされる必要はなく、例えば、単層のギャザーシート３２に弾性部材３１が接合されてもよい。また、各側壁部３に設けられる弾性部材３１の本数は１本でもよく３本以上であってもよい。
【００４３】
本体部２を容易に形成するという観点からは、吸収コアの両側部を覆う内部防漏部２３１がバックシート部２３２と連続していることが好ましいが、内部防漏部２３１がバックシート部２３２とは別部材であってトップシート２１と吸収コアとの間に設けられる場合であっても、撥水性または不透液性の内部防漏部２３１が着用者の肌に触れることを防止して快適な着用感を維持するとともに、吸収コアに一旦吸収された水分が側方から吸収コアの外部に漏出することを防止することができる。
【００４４】
内部防漏部２３１とバックシート部２３２とが別部材である場合、バックシート部２３２がトップシート折返部２１１の外側に設けられ、トップシート２１が内部防漏部２３１を覆いつつ吸収コアの外側の主面に接合されてもよい。この場合、外装部材１０１がバックシート部２３２の役割を果たしてもよい。
【００４５】
トップシート２１やコア防漏シート２３等の接合は、必ずしもホットメルト接着剤４による接着には限定されず、例えば、超音波接合やヒートシール等により行われてもよい。
【００４６】
吸収性物品は、必ずしも外装部材１０１とは独立した部材として外装部材１０１に取り付けられる必要はなく、外装部材１０１と一体的に形成されることによりパンツタイプの使い捨ておむつ１０が形成されてもよい。また、吸収性物品は、着用者の腹側に当接する部位と背側に当接する部位とを腰回りで止着して着用するいわゆるオープンタイプの使い捨ておむつのパッド部として利用されてもよく、さらには、布製の失禁パンツや使い捨ておむつ等、様々な外装物品の着用者側に取り付けられる補助吸収具として利用されてもよい。
【図面の簡単な説明】
【００４７】
【図１】第１の実施の形態に係る吸収性物品を備える使い捨ておむつの構成を示す図である。
【図２】使い捨ておむつの平面図である。
【図３】使い捨ておむつの断面図である。
【図４】使い捨ておむつの断面図である。
【図５】第２の実施の形態に係る吸収性物品を備える使い捨ておむつの平面図である。
【図６】使い捨ておむつの断面図である。
【図７】使い捨ておむつの断面図である。
【符号の説明】
【００４８】
１，１ａ    吸収性物品
２    本体部
３    側壁部
２１    トップシート
２２，２２ａ    吸収コア
２０１    前方部
２０２    中間部
２０３    後方部
２１１    トップシート折返部
２３１    内部防漏部
２３２    バックシート部
【図１】
2006218055.tif 000003
【図２】
2006218055.tif 000004
【図３】
2006218055.tif 000005
【図４】
2006218055.tif 000006
【図５】
2006218055.tif 000007
【図６】
2006218055.tif 000008
【図７】
2006218055.tif 000009